(57)【要約】【解決手段】データ収集装置１のＡ／Ｄ変換器７では騒音検出信号や振動検出信号に関する特定環境データ信号をアナログ信号からデジタル信号に変換する。データ収集装置１に対し分離されて通信可能にした情報処理装置１１のファイル作成手段１５では、特定環境データ信号に基き、演算されたＬ値と、測定時間範囲と騒音レベルまたは振動レベルとの関係を示すグラフと、測定場所及び測定日時とを記録したファイルを作成し、そのファイルをディスプレイ１３で表示し、印刷機１４で印刷し、その際に測定対象外の環境データ信号を視認し得るようにグラフラインの属性を変え得る。【効果】測定場所及び測定日時とＬ値とグラフ等を含む所定書式の書面や画面として自動的に表示して騒音や振動に関する測定データの解析を容易に行うとともに測定対象外の環境データ信号を指定して表示されたグラフラインでその測定対象外と測定対象とを容易に区別することができる。【選択図】図１
2010078369.tif 000002
【特許請求の範囲】
【請求項１】
騒音センサからの騒音検出信号と振動センサからの振動検出信号とのうち少なくともいずれかの信号に関する特定環境データ信号をアナログ信号からデジタル信号に変換するＡ／Ｄ変換手段と、
Ａ／Ｄ変換された特定環境データ信号に基き、Ｌ値演算手段により演算されたＬ値と、グラフ作成手段により作成されて測定時間範囲と騒音レベルまたは振動レベルとの関係を示すグラフと、入力手段により設定された測定場所及び測定日時とをそれぞれ少なくとも記録したファイルを作成するファイル作成手段と、
前記ファイル作成手段からの信号に基づき測定場所及び測定日時とＬ値とグラフとを表した画面を表示する画面表示手段と、
前記ファイル作成手段からの信号に基づき測定場所及び測定日時とＬ値とグラフとを表した書面を印刷する印刷手段と
とを備え、
前記ファイル作成手段においては、測定対象外の環境データ信号を指定する除外信号指定手段により指定された測定対象外の環境データ信号を識別するフラグを記録し得るとともに、測定対象外の環境データ信号を視認し得るようにグラフラインの属性を入力手段により設定して変え得る
ことを特徴とする環境データ収集解析装置。
【請求項２】
前記Ａ／Ｄ変換手段はデータ収集装置に備えられ、前記ファイル作成手段はこのデータ収集装置に対し分離された情報処理装置に備えられ、このデータ収集装置と情報処理装置とを有線または無線により通信可能にしたことを特徴とする請求項１に記載の環境データ収集解析装置。
【請求項３】
前記データ収集装置と情報処理装置とはインターネットまたはリムーバブルメディアにより通信可能にしたことを特徴とする請求項２に記載の環境データ収集解析装置。
【請求項４】
前記データ収集装置は、商用電源である外部電源と接続し得る接続部を有しているとともに、交換可能な電池またはバッテリである内部電源を搭載していることを特徴とする請求項２または請求項３に記載の環境データ収集解析装置。
【請求項５】
前記データ収集装置は、前記騒音センサを備えた騒音計と前記振動センサを備えた振動計とのうち少なくともいずれかを接続し得る複数の接続部を有していることを特徴とする請求項２または請求項３または請求項４に記載の環境データ収集解析装置。
【請求項６】
前記データ収集装置は、温度センサを備えた温度計と圧力センサを備えた圧力計と流量センサを備えた流量計と濃度センサを備えた濃度計とのうち少なくともいずれかを接続し得る複数の接続部を有していることを特徴とする請求項５に記載の環境データ収集解析装置。
【請求項７】
前記データ収集装置は、映像機器と音声機器とのうち少なくともいずれかを接続し得る複数の接続部を有していることを特徴とする請求項５または請求項６に記載の環境データ収集解析装置。
【発明の詳細な説明】
【技術分野】
【０００１】
本発明は、騒音や振動に関する特定環境データ信号を収集解析して印刷書面や画面に表示することができる環境データ収集解析装置に関するものである。
【背景技術】
【０００２】
従来、騒音や振動に関する測定データは、数値として収集され、その後に測定場所及び測定日時とＬ値とグラフなどを騒音や振動の計量証明として足り得る所定書式で適宜整理されていたに過ぎなかった。
【発明の開示】
【発明が解決しようとする課題】
【０００３】
そのため、騒音や振動に関する測定データの解析に大変な手間を必要としていた。
この発明は、騒音や振動に関する測定データを収集解析し、騒音や振動の計量証明として足り得る所定書式で測定場所及び測定日時とＬ値とグラフなどを含むファイルとして自動的に表示可能にすることにより、騒音や振動に関する測定データの解析を容易にするとともに、車などの測定対象外の環境データ信号を指定して表示されたグラフラインでその測定対象外と測定対象とを容易に区別可能にすることを目的としている。
【課題を解決するための手段】
【０００４】
後記実施形態の図面（図１〜３に示す第１実施形態、図４に示す第２実施形態）の符号を援用して本発明を説明する。
請求項１の発明にかかる環境データ収集解析装置は、第１，２実施形態に対応し、下記のＡ／Ｄ変換手段７とファイル作成手段１５と画面表示手段１３と印刷手段１４とを備えている。Ａ／Ｄ変換手段７では、騒音センサ２ａからの騒音検出信号と振動センサ３ａからの振動検出信号とのうち少なくともいずれかの信号に関する特定環境データ信号をアナログ信号からデジタル信号に変換する。ファイル作成手段１５では、Ａ／Ｄ変換された特定環境データ信号に基き、Ｌ値演算手段１６により演算されたＬ値と、グラフ作成手段１７により作成されて測定時間範囲と騒音レベルまたは振動レベルとの関係を示すグラフと、入力手段１３により設定された測定場所及び測定日時とをそれぞれ少なくとも記録したファイルを作成する。画面表示手段１３では、前記ファイル作成手段１５からの信号に基づき測定場所及び測定日時とＬ値とグラフとを表した画面を表示する。印刷手段１４では、前記ファイル作成手段１５からの信号に基づき測定場所及び測定日時とＬ値とグラフとを表した書面を印刷する。前記ファイル作成手段１５においては、測定対象外の環境データ信号を指定する除外信号指定手段１９により指定された測定対象外の環境データ信号を識別するフラグを記録し得るとともに、測定対象外の環境データ信号を視認し得るようにグラフラインの属性を入力手段１３により設定して変え得る。
【０００５】
請求項１の発明を前提とする請求項２の発明（第１，２実施形態に対応）において、前記Ａ／Ｄ変換手段７はデータ収集装置１に備えられ、前記ファイル作成手段１５はこのデータ収集装置１に対し分離された情報処理装置１１に備えられ、このデータ収集装置１と情報処理装置１１とを有線または無線により通信可能にした。例えば、このデータ収集装置１は、騒音センサ２ａからの騒音検出信号と振動センサ３ａからの振動検出信号とのうち少なくともいずれかの信号に関する特定環境データ信号を増幅するデータ信号増幅手段５と、増幅された特定環境データ信号を対数積分するデータ信号対数積分手段６と、対数積分された特定環境データ信号をアナログ信号からデジタル信号に変換するＡ／Ｄ変換手段７とを備えている。
【０００６】
請求項２の発明を前提とする請求項３の発明（第１，２実施形態に対応）において、前記データ収集装置１と情報処理装置１１とはインターネットまたはリムーバブルメディアにより通信可能にした。
【０００７】
請求項２または請求項３の発明を前提とする請求項４の発明（第１，２実施形態に対応）において、前記データ収集装置１は、商用電源である外部電源８と接続し得る接続部９を有しているとともに、交換可能な電池またはバッテリである内部電源１０を搭載している。
【０００８】
請求項２または請求項３または請求項４の発明を前提とする請求項５の発明（第１，２実施形態に対応）において、前記データ収集装置１は、前記騒音センサ２ａを備えた騒音計２と前記振動センサ３ａを備えた振動計３とのうち少なくともいずれかを接続し得る複数の接続部４を有している。
【０００９】
請求項５の発明を前提とする請求項６の発明（第２実施形態のみに対応）において、前記データ収集装置１は、温度センサ２０ａを備えた温度計２０と圧力センサ２１ａを備えた圧力計２１と流量センサ２２ａを備えた流量計２２と濃度センサ２３ａを備えた濃度計２３とのうち少なくともいずれかを接続し得る複数の接続部２４を有している。例えば、このデータ収集装置１は、騒音センサ２ａからの騒音検出信号と振動センサ３ａからの振動検出信号とのうち少なくともいずれかの信号に関する特定環境データ信号に加えて、温度センサ２０ａからの温度検出信号と圧力センサ２１ａからの圧力検出信号と流量センサ２２ａからの流量検出信号と濃度センサ２３ａからの濃度検出信号とのうち少なくともいずれかの信号に関する他の環境データ信号をアナログ信号からデジタル信号に変換するＡ／Ｄ変換手段７を備えている。
【００１０】
請求項５または請求項６の発明を前提とする請求項７の発明（第２実施形態のみに対応）において、前記データ収集装置１は、映像機器２５と音声機器２６とのうち少なくともいずれかを接続し得る複数の接続部２７を有している。例えば、このデータ収集装置１は、騒音センサ２ａからの騒音検出信号と振動センサ３ａからの振動検出信号とのうち少なくともいずれかの信号に関する特定環境データ信号に加えて、映像機器２５からの信号または音声機器２６からの信号に関する他の環境データ信号をアナログ信号からデジタル信号に変換するＡ／Ｄ変換手段７を備えている。
【発明の効果】
【００１１】
請求項１の発明では、騒音や振動に関する測定データを収集解析し、騒音や振動の計量証明として足り得る所定書式で測定場所及び測定日時とＬ値とグラフなどを含むファイルとして自動的に表示にして騒音や振動に関する測定データの解析を容易に行うことができる。また、車などの測定対象外の環境データ信号を指定して表示されたグラフラインでその測定対象外と測定対象とを容易に区別することができる。
【００１２】
請求項２の発明では、環境データを収集する現場で使用するデータ収集装置１と、収集した環境データを解析する情報処理装置１１とを分けたので、データ収集装置１と情報処理装置１１とを互いに近接してまたは遠隔地間で配置して通信することができる。従って、場所的制約をなくして環境データ収集条件に応じた環境データの収集と解析とを効率良く行うことができる。
【００１３】
請求項３の発明では、インターネットまたはリムーバブルメディアにより通信機能を高めることができる。
請求項４の発明では、データ収集装置１において外部電源８と内部電源１０とを併用することができる。従って、停電時などの非常時にも対処することができる。
【００１４】
請求項５の発明では、複数の騒音計２を、または、複数の振動計３を、または。騒音計２と振動計３とを組み合わせて、データ収集装置１に対し同時に接続することができる。従って、騒音や振動に関する特定環境データ信号を効率的に収集することができる。
【００１５】
請求項６の発明では、複数の温度計２０を、または、複数の圧力計２１を、または、複数の流量計２２を、または、複数の濃度計２３を、または、温度計２０と圧力計２１と流量計２２と濃度計２３とを組み合わせて、データ収集装置１に対し同時に接続することができる。従って、温度や圧力や流量や濃度に関する環境データ信号を効率的に収集することができる。
【００１６】
請求項７の発明では、複数の映像機器２５を、または、複数の音声機器２６を、または。映像機器２５と音声機器２６とを組み合わせて、データ収集装置１に対し同時に接続することができる。従って、映像や音声に関する環境データ信号を効率的に収集することができる。
【発明を実施するための最良の形態】
【００１７】
まず、本発明の第１実施形態にかかる環境データ収集解析装置について図１〜３を参照して説明する。
図１に示すように、データ収集装置１は、騒音センサ２ａを備えた騒音計２と振動センサ３ａを備えた振動計３とのうち少なくともいずれかを接続し得る複数の接続部４を有している。このデータ収集装置１は、騒音センサ２ａからの騒音検出信号と振動センサ３ａからの振動検出信号とのうち少なくともいずれかの信号に関する特定環境データ信号を各接続部４毎にリアルタイムで収集して増幅するデータ信号増幅手段としての増幅器５と、増幅された特定環境データ信号を対数積分するデータ信号対数積分手段としての対数積分器６と、対数積分された特定環境データ信号をアナログ信号からデジタル信号に変換するＡ／Ｄ変換手段としてのＡ／Ｄ変換器７とを備え、商用電源である外部電源８と接続し得る接続部９を有しているとともに、交換可能な電池またはバッテリである内部電源１０を搭載している。
【００１８】
このデータ収集装置１に対し近接してまたは遠隔地間で分離された情報処理装置１１（コンピューター）は、このデータ収集装置１と有線または無線、例えばインターネットやリムーバブルメディアなどの通信手段１２により通信可能になっている。この情報処理装置１１は、画面表示手段及び各種入力手段としてのディスプレイ１３と、印刷手段としての印刷機１４とに接続されている。
【００１９】
この情報処理装置１１に備えたファイル作成手段１５は、Ａ／Ｄ変換された特定環境データ信号（リアルタイム信号）に基き、Ｌ値演算手段１６により演算されたＬ値（騒音レベルや振動レベルの度合いを表す値）と、グラフ作成手段１７により作成されて測定時間範囲と騒音レベルまたは振動レベルとの関係を示すグラフと、ディスプレイ１３に表示された設定画面に対する操作により設定された測定場所及び測定日時とをそれぞれ少なくとも記録したファイルを作成する。このファイル作成手段１５においては、ディスプレイ１３に表示された解析信号指定手段１８における設定画面に対する操作により測定対象（隣接工場やショベルやバックホウや重機など）の特定環境データ信号を指定することができるとともに、ディスプレイ１３に表示された除外信号指定手段１９における設定画面に対する操作により測定対象外（車や鳥や突発音やリフトや人など）の環境データ信号を指定することができ、この除外信号指定手段１９により指定された測定対象外の環境データ信号を識別するフラグを記録し、ディスプレイ１３に表示された設定画面に対する操作によりグラフラインの属性（測定対象に対応させた黄等の色や実線等の形状など、測定対象外に対応させた赤等の色や破線等の形状など）を設定して変えることができる。
【００２０】
印刷機１４では、ディスプレイ１３に表示された設定画面に対する操作により、例えば図２または図３に示すように、前記ファイル作成手段１５からの信号に基づき、測定場所及び測定日時とＬ値とグラフなどを騒音や振動の計量証明として足り得る所定書式で表した書面を印刷する。また、ディスプレイ１３では、それに表示された設定画面に対する操作により、前記ファイル作成手段１５からの信号に基づき、この印刷書面と同様に測定場所及び測定日時とＬ値とグラフなどを表した所定書式の画面を表示する。そのほか、ディスプレイ１３に表示された設定画面に対する操作により、各種の条件設定を変更したり、ディスプレイ１３に測定場所及び測定日時やＬ値やグラフなどに関する個別画面を表示したり、印刷機１４からそれらの個別書面を印刷することができる。
【００２１】
次に、本発明の第２実施形態にかかる環境データ収集解析装置について第１実施形態との相違点を中心に図４を参照して説明する。
データ収集装置１は、騒音センサ２ａを備えた騒音計２と振動センサ３ａを備えた振動計３とのうち少なくともいずれかを接続し得る複数の接続部４のほかに、温度センサ２０ａを備えた温度計２０と圧力センサ２１ａを備えた圧力計２１と流量センサ２２ａを備えた流量計２２と濃度センサ２３ａを備えた濃度計２３とのうち少なくともいずれかを接続し得る複数の接続部２４と、映像機器２５と音声機器２６とのうち少なくともいずれかを接続し得る複数の接続部２７とを有している。このデータ収集装置１は、騒音センサ２ａからの騒音検出信号と振動センサ３ａからの振動検出信号とのうち少なくともいずれかの信号に関する特定環境データ信号に加えて、温度センサ２０ａからの温度検出信号と圧力センサ２１ａからの圧力検出信号と流量センサ２２ａからの流量検出信号と濃度センサ２３ａからの濃度検出信号とのうち少なくともいずれかの信号に関する他の環境データ信号と、映像機器２５からの信号または音声機器２６からの信号に関する他の環境データ信号とを各接続部２４，２７毎にリアルタイムで収集して増幅する増幅器５と、増幅された他の環境データ信号を対数積分する対数積分器６と、対数積分された他の環境データ信号をアナログ信号からデジタル信号に変換するＡ／Ｄ変換器７とを備えている。これらの他の環境データ信号も前記特定環境データ信号と同様に情報処理装置１１で処理されて所定書式の印刷書面やディスプレイ１３の画面として出力される。
【００２２】
本実施形態は下記の効果を有する。
＊  騒音や振動に関する測定データを収集解析し、測定場所及び測定日時とＬ値とグラフなどを含む所定書式の書面や画面として自動的に表示することができる。従って、騒音や振動に関する測定データの解析を容易に行うことができる。
【００２３】
＊  ディスプレイ１３に表示された解析信号指定手段１８における設定画面に対する操作により測定対象の特定環境データ信号を指定することができるとともに、ディスプレイ１３に表示された除外信号指定手段１９における設定画面に対する操作により測定対象外の環境データ信号を指定することができる。
【００２４】
＊  ディスプレイ１３に表示された設定画面に対する操作によりグラフラインの色等の属性を設定して変えることができる。従って、グラフラインでその測定対象外と測定対象とを容易に区別することができる。
【００２５】
＊  環境データを収集する現場で使用するデータ収集装置１と、収集した環境データを解析する情報処理装置１１とを分けたので、場所的制約をなくしてデータ収集装置１と情報処理装置１１とを互いに近接してまたは遠隔地間で配置して通信することができる。
【００２６】
なお、データ収集装置１と情報処理装置１１とを分離せずに一体化することができる。
【図面の簡単な説明】
【００２７】
【図１】第１実施形態にかかる環境データ収集解析装置を概略的に示すブロック図である。
【図２】騒音に関する印刷画面を示す正面図である。
【図３】振動に関する印刷画面を示す正面図である。
【図４】第２実施形態にかかる環境データ収集解析装置を概略的に示すブロック図である。
【符号の説明】
【００２８】
１…データ収集装置、２…騒音計、２ａ…騒音センサ、３…振動計、３ａ…振動センサ、４…騒音計及び振動計に対するデータ収集装置の接続部、７…データ収集装置内のＡ／Ｄ変換器、８…外部電源、９…外部電源に対するデータ収集装置の接続部、１０…データ収集装置内の内部電源、１１…情報処理装置、１３…画面表示手段及び入力手段としてのディスプレイ、１４…印刷手段としての印刷機、１５…情報処理装置内のファイル作成手段、１６…ファイル作成手段内のＬ値演算手段、１７…ファイル作成手段内のグラフ作成手段、１９…ファイル作成手段内の除外信号指定手段、２０…温度計、２０ａ…温度センサ、２１…圧力計、２１ａ…圧力センサ、２２…流量計、２２ａ…流量センサ、２３…濃度計、２３ａ…濃度センサ、２４…温度計や圧力計や流量計や濃度計に対するデータ収集装置の接続部、２５…映像機器、２６…音声機器、２７…映像機器及び音声機器に対するデータ収集装置の接続部。
【図１】
2010078369.tif 000003
【図２】
2010078369.tif 000004
【図３】
2010078369.tif 000005
【図４】
2010078369.tif 000006